(57)【要約】【課題】光ファイバ融着接続時の拡大鏡の使用を容易にすると共に拡大鏡を光ファイバ融着接続機上から突出することなく、省スペースで作業を可能にした光ファイバ融着接続機における風防および光ファイバ融着接続機を提供することにある。【解決手段】光ファイバ融着接続機本体３に開閉可能な風防７を設け、この風防７が閉じられている時に前記光ファイバ融着接続機本体３の上面におけるＶ溝台２１、２３周りを観察する拡大鏡１３を収納せしめ、前記風防７が開かれたときに前記拡大鏡１３が前記Ｖ溝台２１、２３周りの上方位置の観察位置に位置決めされることを特徴とする。【選択図】      図１
2004252344.tif 000002
【特許請求の範囲】
【請求項１】
光ファイバ融着接続機本体の上面におけるＶ溝台周りを覆う開閉可能な光ファイバ融着接続機における風防であって、この風防が閉じられているときには、前記Ｖ溝台周りを観察するための拡大鏡が風防内に収納されていると共に風防が開かれたときには、前記拡大鏡が前記Ｖ溝台周りの上方位置の観察位置に位置決めされることを特徴とする光ファイバ融着接続機における風防。
【請求項２】
前記拡大鏡が風防に備えられたアーム部材の先端部の収納位置に収納されていると共に、風防が開かれたときに前記拡大鏡が前記風防と連動してアーム部材の回動により前記拡大鏡が前記観察位置に位置決めされることを特徴とする請求項１記載の光ファイバ融着接続機における風防。
【請求項３】
前記拡大鏡が風防に備えられたアーム部材の先端部に設けられ、前記拡大鏡が常時前記観察位置に位置決めされることを特徴とする請求項１記載の光ファイバ融着接続機における風防。
【請求項４】
光ファイバをクランプせしめるファイバクランプが回動可能に設けられていることを特徴とする請求項１、２又は３記載の光ファイバ融着接続機における風防。
【請求項５】
光ファイバ融着接続機本体に開閉可能な風防を設け、この風防が閉じられている時に前記光ファイバ融着接続機本体の上面におけるＶ溝台周りを観察する拡大鏡を収納せしめ、前記風防が開かれたときに前記拡大鏡が前記Ｖ溝台周りの上方位置の観察位置に位置決めされることを特徴とする光ファイバ融着接続機。
【請求項６】
前記光ファイバ融着接続機本体の一端側上部に設けられた支点軸を支点にして前記風防を開閉可能に設け、前記支点軸にアーム部材の後端を設けると共にアーム部材の先端に前記拡大鏡を設け、前記風防が開かれたときにアーム部材が回動し、前記拡大鏡がＶ溝台周りの上方位置の観察位置に位置決めされることを特徴とする請求項５記載の光ファイバ融着接続機。
【請求項７】
前記光ファイバ融着接続機本体の一端側上部に、アーム部材の後端を固定して設けると共にアーム部材の先端にＶ溝台周りの上方位置の観察位置に位置決めされた拡大鏡を設け、前記アーム部材に前記風防を開閉可能に設けてなることを特徴とする請求項５記載の光ファイバ融着接続機。
【請求項８】
前記風防に連動して光ファイバをクランプせしめるファイバクランプを前記風防に設けてなることを特徴とする請求項５、６又は７記載の光ファイバ融着接続機。
【発明の詳細な説明】
【０００１】
【発明の属する技術分野】
この発明は、光ファイバ融着接続機に光ファイバをセットする際に使用する光ファイバ融着接続機における風防および光ファイバ融着接続機に関する。
【０００２】
【従来の技術】
従来の光ファイバ融着接続機１０１は、図５（Ａ）、（Ｂ）に示されているように、立設された光ファイバ融着接続機本体１０３を備えており、この光ファイバ融着接続機本体１０３の上面には図５（Ａ）、（Ｂ）において上下方向のほぼ中央部の一方側例えば左側には一方のファイバホルダ１０５が左右方向へ移動自在に設けられていると共にほぼ中央部の他方側例えば右側には他方のファイバホルダ１０７が左右方向へ移動自在に設けられている。前記一方のファイバホルダ１０５、他方のファイバホルダ１０７の内側における光ファイバ融着接続機本体１０３の上面には離隔してＶ溝を有したＶ溝台１０９、１１１が設けられている。このＶ溝台１０９、１１１内の上下には一対の電極１１３が相対向して設けられている。
【０００３】
前記Ｖ溝台１０９、１１１の周りを覆うための風防１１５が光ファイバ融着接続機本体１０３の上方で図５（Ａ）、（Ｂ）において図示省略の支点軸を支点として回動可能に設けられている。図５（Ａ）、（Ｂ）において光ファイバ融着接続機本体１０３の例えば上側でかつ右側の隅にピン１１７が立設されている。このピン１１７には拡大鏡１１９が前記Ｖ溝台１０９、１１１の周りの上方位置の観察位置（図５（Ｂ）の状態）と光ファイバ融着接続機本体１０３の外側の待機位置（図５（Ａ）の状態）とに位置決めされるべく水平に開閉可能に設けられている。
【０００４】
上記構成により、図５（Ｂ）において、風防１１３を上方へ回動させて開放状態にする。すなわち、Ｖ溝台１０９、１１１の周りをの光ファイバの突き合わせ部を開放状態にする。そして、光ファイバＦＡ、光ファイバＦＢをそれぞれ上方から挿入してＶ溝台１０９、１１１のそれぞれのＶ溝に入れる。
【０００５】
この状態で拡大鏡１１９を図５（Ａ）に示した待機位置の状態から図５（Ｂ）に矢印で示したごとく回動させてＶ溝台１０９、１１１の周りの上方位置である観察位置に位置決めせしめる。そして、拡大鏡１１９により光ファイバＦＡ、光ファイバＦＢの被覆材が除去された裸光ファイバがＶ溝台１０９、１１１のＶ溝内に正確に入っているかどうかを観察する。そして、裸光ファイバがＶ溝台１０９、１１１のＶ溝内に正確に入っていれば、風防１１５を図５（Ｂ）に示したごとく移動させてファイバホルダ１０５、１０７の上方を覆う。この状態で、ファイバホルダ１０５、ファイバホルダ１０７で光ファイバＦＡ、光ファイバＦＢを把持せしめた後、ファイバホルダ１０５、ファイバホルダ１０７をそれぞれ自動的に移動させて光ファイバＦＡ、光ファイバＦＢの被覆材が除去された裸光ファイバ部同志を突き合わせる。ついで、一対の電極１１３により裸光ファイバ部同志の先端を融着して接続せしめる。
【０００６】
【非特許文献１】
フジクラ技報  １９８８．４  Ｐ−２９〜３２、特に、３，１０，２拡大鏡）
【０００７】
【発明が解決しようとする課題】
ところで、上述した従来の光ファイバ融着接続機１０１では、図５（Ａ）に示されているように、前記拡大鏡１１９の後端から拡大鏡１１９に備えられたレンズ１１９Ａの中心部までの距離Ｌが長く、しかも、拡大鏡１１９は外付けで取り付けられていて、作業する光ファイバ融着接続機１０１の中央部から離れている。そのため、光ファイバ融着接続作業工程においてはピン１１７を支点にしながら、観察位置と退避位置との間の移動を作業者の手にて繰り返さなければならないという問題があった。
【０００８】
この発明は上述の課題を解決するためになされたもので、その目的は、光ファイバ融着接続時の拡大鏡の使用を容易にすると共に拡大鏡を光ファイバ融着接続機上から外側へ突出することなく、省スペースで作業を可能にした光ファイバ融着接続機における風防および光ファイバ融着接続機を提供することにある。
【０００９】
【課題を解決するための手段】
上記目的を達成するために請求項１によるこの発明の光ファイバ融着接続機における風防は、光ファイバ融着接続機本体の上面におけるＶ溝台周りを覆う開閉可能な光ファイバ融着接続機における風防であって、この風防が閉じられているときには、前記Ｖ溝台周りを観察するための拡大鏡が風防内に収納されていると共に風防が開かれたときには、前記拡大鏡が前記Ｖ溝台周りの上方位置の観察位置に位置決めされることを特徴とするものてある。
【００１０】
請求項２によるこの発明の光ファイバ融着接続機における風防は、請求項１記載の光ファイバ融着接続機における風防において、前記拡大鏡が風防に備えられたアーム部材の先端部の収納位置に収納されていると共に、風防が開かれたときに前記拡大鏡が前記風防と連動してアーム部材の回動により前記拡大鏡が前記観察位置に位置決めされることを特徴とする請求項１記載の光ファイバ融着接続機における風防。
【００１１】
請求項３によるこの発明の光ファイバ融着接続機における風防は、請求項１記載の光ファイバ融着接続機における風防において、前記拡大鏡が風防に備えられたアーム部材の先端部に設けられ、前記拡大鏡が常時前記観察位置に位置決めされることを特徴とするものである。
【００１２】
請求項４によるこの発明の光ファイバ融着接続機における風防は、請求項１、２又は３記載の光ファイバ融着接続機における風防において、光ファイバをクランプせしめるファイバクランプが回動可能に設けられていることを特徴とするものである。
【００１３】
請求項５によるこの発明の光ファイバ融着接続機は、光ファイバ融着接続機本体に開閉可能な風防を設け、この風防が閉じられている時に前記光ファイバ融着接続機本体の上面におけるＶ溝台周りを観察する拡大鏡を収納せしめ、前記風防が開かれたときに前記拡大鏡が前記Ｖ溝台周りの上方位置の観察位置に位置決めされることを特徴とするものである。
【００１４】
請求項６によるこの発明の光ファイバ融着接続機は、請求項５記載の光ファイバ融着接続機において、前記光ファイバ融着接続機本体の一端側上部に設けられた支点軸を支点にして前記風防を開閉可能に設け、前記支点軸にアーム部材の後端を設けると共にアーム部材の先端に前記拡大鏡を設け、前記風防が開かれたときにアーム部材が回動し、前記拡大鏡がＶ溝台周りの上方位置の観察位置に位置決めされることを特徴とするものである。
【００１５】
請求項７によるこの発明の光ファイバ融着接続機は、請求項５記載の光ファイバ融着接続機において、前記光ファイバ融着接続機本体の一端側上部に、アーム部材の後端を固定して設けると共にアーム部材の先端にＶ溝台周りの上方位置の観察位置に位置決めされた拡大鏡を設け、前記アーム部材に前記風防を開閉可能に設けてなることを特徴とするものである。
【００１６】
請求項８によるこの発明の光ファイバ融着接続機は、請求項４、５、６又は７記載の光ファイバ融着接続機  前記風防に連動して光ファイバをクランプせしめるファイバクランプを前記風防に設けてなることを特徴とするものである。
【００１７】
【発明の実施の形態】
以下、この発明の実施の形態について図面を参照して詳細に説明する。
【００１８】
図１（Ａ）、（Ｂ）を参照するに、光ファイバ融着接続機１は立設された光ファイバ融着接続機本体３を備えており、この光ファイバ融着接続機本体３の上面の一端側例えば左端上には図１（Ａ）、（Ｂ）において紙面に対して直交した方向へ延伸した支点軸５が設けられている。この支点軸５には風防７の下端が回転可能に取り付けられていると共にファイバクランプ９の下端が回転可能に取り付けられている。また、前記支点軸５にはアーム部材１１の下端が回転可能に取り付けられている。しかも、アーム部材１１は例えばくの字形状に折り曲げられていて、先端には拡大鏡１３が備えられている。前記風防７の上面には風防７を開閉させるための取っ手１５が設けられている。
【００１９】
前記光ファイバ融着接続機本体３のほぼ中央部には図２に示されているように、図２において上下にファイバホルダ１７、１９が相対向して設けられていると共にファイバホルダ１７、１９の内側にはＶ溝を有したＶ溝台２１、２３が離隔して設けられている。このＶ溝台２１、２３間の左右両側には一対の電極２５が設けられている。また、前記ファイバクランプ９の先端部９Ａが屈曲して折り曲げられていて、図１（Ｂ）に示されているように、風防７が支点軸５を支点として回動して閉じたときにファイバクランプ９も支点軸５を支点として回動してＶ溝を有したＶ溝台２１、２３の上面にファイバクランプ９の先端部９Ａが到達し光ファイバＦの被覆材を除去した裸ファイバを上からクランプせしめるようになっている。
【００２０】
前記アーム部材１１の後端部１１Ｂは例えば図３（Ａ）、（Ｂ）に示されているように、円弧形状でなく、直線部のストッパ２７を有していて、アーム部材１１が図３（Ａ）の状態において支点軸５を支点として矢印のごとく反時計方向周りに回動して、図３（Ｂ）に示したごとくストッパ２７が光ファイバ融着接続機本体３の上面に当接し、拡大鏡１３がＶ溝台２１、２３周りの上方位置である観察位置に位置決めされるようになっている。
【００２１】
上記構成により、図１（Ｂ）に示されているように、作業者が取っ手１５を持って支点軸５を支点として風防７を矢印のごとく反時計方向周りに回動して、図１（Ａ）に示されているように開放状態にする。すなわち、Ｖ溝台２１、２３の光ファイバＦの突き合わせ部を開放状態にする。このとき、ファイバクランプ９が同時に回動し、アーム部材１１の先端部に設けられている拡大鏡１３がＶ溝台２１、２３の光ファイバＦの突き合わせ部の上方位置である観察位置に位置決めされる。
【００２２】
そして、光ファイバＦＡ、光ファイバＦＢを図２においてそれぞれ上方向から挿入してＶ溝台２１、２３のそれぞれのＶ溝に挿入する。ついで、拡大鏡１３により光ファイバＦＡ、光ファイバＦＢの被覆材が除去された裸光ファイバ部が前記Ｖ溝台２１、２３のそれぞれのＶ溝内に正確に入っているかどうかが観察される。そして、正確に裸光ファイバ部の先端が入っていれば、風防７を図１（Ｂ）に示したごとく元の位置へ移動させてＶ溝台２１、２３周りの上方位置である観察位置を覆うと共にファイバクランプ９の先端部９ＡでＶ溝台２１、２３ないに入っている光ファイバＦの被覆材を除去した裸ファイバを上からクランプする。この状態で、ファイバホルダ１７、１９を閉じると共に自動的に移動させて光ファイバＦＡ、光ファイバＦＢの被覆材が除去された裸光ファイバ部が突き合わせられた後、一対の電極２５により裸光ファイバ部同志の先端が融着して接続されることになる。
【００２３】
このように、風防７が閉じられたときに、先端に拡大鏡１３を備えたアーム部材１１が風防７内に収納されて光ファイバ融着接続機本体３の外側に突出するこがないので、省スペースで光ファイバ融着接続機１の作業を可能にすることができる。また、光ファイバ融着接続機１における光ファイバ融着作業時の拡大鏡１３の使用を容易にすることができる。さらに、風防７が閉じられたときに、ファイバクランプ９が同時に回動して先端部９Ａで光ファイバＦＡ、光ファイバＦＢを容易にクランプせしめることができる。
【００２４】
図４（Ａ）、（Ｂ）には図１（Ａ）、（Ｂ）に代わる他の実施の形態が示されている。図４（Ａ）、（Ｂ）において図１（Ａ）、（Ｂ）における部品と同じ部品には同一の符号を付して重複する説明を省略する。
【００２５】
図４（Ａ）、（Ｂ）において、前記アーム部材１１が逆Ｌ字形状をしていて、垂直部１１Ａとこの垂直部１１Ａの上部に水平部１１Ｂが一体化されている。そして、アーム部材１１の垂直部１１Ａの下端が前記光ファイバ融着接続機本体３の上面の一端側例えば左端上に固定され、水平部１１Ｂの先端に備えられた拡大鏡１３が常時Ｖ溝台２１、２３周りの上方位置である観察位置に位置決めされている。
【００２６】
前記アーム部材１１の垂直部１１Ａの図４（Ａ）、（Ｂ）において、左側側面には上下方向へ延伸してラック２９が設けられている。そして、このラック２９に噛合したピニオン３１が前記支点軸５に装着されて、ピニオン３１に前記風防７およびファイバクランプ９のそれぞれの下端が一体化されている。それ以外の構成は図１（Ａ）、（Ｂ）における構成と同じである。
【００２７】
上記構成により、図４（Ｂ）に示されているように、作業者が取っ手１５を持って支点軸５を支点としてラック２９に対してピニオン３１が回転して風防７を矢印のごとく反時計方向周りに回動して、図４（Ａ）に示されているように開放状態にする。すなわち、Ｖ溝台２１、２３の光ファイバＦの突き合わせ部を開放状態にする。このとき、ファイバクランプ９が同時に回動する。アーム部材１１は固定しているから、アーム部材１１の先端部に設けられている拡大鏡１３がＶ溝台２１、２３の光ファイバＦの突き合わせ部の上方位置である観察位置に位置決めされたままである。
【００２８】
そして、光ファイバＦＡ、光ファイバＦＢを図２においてそれぞれ上方から挿入してＶ溝台２１、２３のそれぞれのＶ溝に挿入する。拡大鏡１３により光ファイバＦＡ、光ファイバＦＢの被覆材が除去された裸光ファイバ部が前記Ｖ溝台２１、２３のそれぞれのＶ溝内に正確に入っているかどうかが観察される。そして、正確に裸光ファイバ部の先端が入っていれば、風防７を図４（Ｂ）に示したごとく元の位置へ移動させてＶ溝台２１、２３周りの上方位置である観察位置を覆うと共にファイバクランプ９の先端部９ＡでＶ溝台２１、２３内に入っている光ファイバＦの被覆材を除去した裸ファイバを上からクランプする。この状態で、ファイバホルダ１７、１９を閉じると共に自動的に移動させて光ファイバＦＡ、光ファイバＦＢの被覆材が除去された裸光ファイバ部が突き合わせられた後、一対の電極２５により裸光ファイバ部同志の先端が融着して接続されることになる。
【００２９】
その結果、上述した実施の形態と同様の効果を奏するものである。
【００３０】
なお、この発明は前述した実施の形態に限定されることなく、適宜な変更を行うことによりその他の態様で実施し得るものである。
【００３１】
【発明の効果】
以上のごとき発明の実施の形態の説明から理解されるように、請求項１〜３および５〜７の発明によれば、風防が閉じられたときに、先端に拡大鏡を備えたアーム部材が風防内に収納されて光ファイバ融着接続機本体の外側に突出するこがないので、省スペースで光ファイバ融着接続機の作業を可能にすることができる。また、光ファイバ融着接続機における光ファイバ融着作業時の拡大鏡の使用を容易にすることができる。
【００３２】
請求項４および８の発明によれば、風防が閉じられたときに、ファイバクランプが同時に回動して先端部で各光ファイバを容易にクランプせしめることができる。
【図面の簡単な説明】
【図１】（Ａ）、（Ｂ）はこの発明の光ファイバ融着接続機の正面図を示し、（Ａ）は風防が開かれた状態を示し、（Ｂ）は風防が閉じられた状態を示したものである。
【図２】ファイバホルダ、Ｖ溝台および電極の部分を示した概略平面図である。
【図３】（Ａ）、（Ｂ）はアーム部材の動作を示した図で、（Ａ）は拡大鏡が風防内に収納された状態を、（Ｂ）は拡大鏡が観察位置に位置決めされた状態を示した図である。
【図４】（Ａ）、（Ｂ）は図１に代わる他の実施の形態の光ファイバ融着接続機の正面図を示し、（Ａ）は風防が開放された状態を示し、（Ｂ）は風防が閉じられた状態を示すものである。
【図５】（Ａ）、（Ｂ）は従来の光ファイバ融着接続機の正面図を示し、（Ａ）は風防が開放された状態を示し、（Ｂ）は風防が閉じられた状態を示したものである。
【符号の説明】
１  光ファイバ融着接続機
３  光ファイバ融着接続機本体
５  支点軸
７  風防
９  ファイバクランプ
９Ａ  先端部
１１  ア−ム部材
１１Ａ  垂直部
１１Ｂ  水平部
１３  拡大鏡
１５  取っ手
１７、１９  ファイバホルダ
２１、２３  Ｖ溝台
２５  電極
２７  ストッパ
２９  ラック
３１  ピニオン
【図１】
2004252344.tif 000003
【図２】
2004252344.tif 000004
【図３】
2004252344.tif 000005
【図４】
2004252344.tif 000006
【図５】
2004252344.tif 000007